(57)【要約】      （修正有）【課題】複数の発光ダイオードを一つの熱伝導基板に整合し、光線を一回で直接に混合することにより、複数の種類の光源を同時に提供することができ、特定の比例と特定の波長で、複数の光線を動植物に照射することができる発光ダイオードモジュールを提供する。【解決手段】熱伝導基板と、反射コップ３２と、少なくとも一つの第１発光ダイオード３３と、少なくとも一つの第２発光ダイオード３４と、を含む。熱伝導基板は、基材３１１と、基材の下に設けられる複数の導電接合部３１２と、基材を貫通し、これらの導電接合部と電気的に連接する複数の電源柱３１３と、基材の下に設けられる放熱部３１４よりなる。又、反射コップは、基材の上方に設けられ、第１発光ダイオードは、熱伝導基板と反射コップとにより形成される空間に設けられ、これらの電源柱と電気的に連接し、第１ビームを射出し、第２発光ダイオードは、熱伝導基板と反射コップとにより形成される空間に設けられ、これらの電源柱と電気的に連接し、第２ビームを射出する。【選択図】図４
0003162045.tif 000002
【実用新案登録請求の範囲】
【請求項１】
熱伝導基板と、反射コップと、少なくとも一つの第１発光ダイオードと、少なくとも一つの第２発光ダイオードと、を含み、
前記熱伝導基板は、
基材と、
前記基材の下に設けられる複数の導電接合部と、
前記基材を貫通し、これらの前記導電接合部と電気的に連接する複数の電源柱と、
前記基材の下に設けられる放熱部と、を含み、
前記反射コップは、前記基材の上方に設けられ、
前記第１発光ダイオードは、前記熱伝導基板と前記反射コップとにより形成される空間に設けられ、これらの前記電源柱と電気的に連接し、第１ビームを射出し、
前記第２発光ダイオードは、前記熱伝導基板と前記反射コップとにより形成される空間に設けられ、これらの前記電源柱と電気的に連接し、第２ビームを射出することを特徴とする発光ダイオードモジュール。
【請求項２】
更に、透明グルーを含み、前記透明グルーは、前記熱伝導基板と前記反射コップとにより形成される空間に充填されることを特徴とする、請求項１に記載の発光ダイオードモジュール。
【請求項３】
熱伝導グルーにより、前記反射コップが前記基材に粘着されることを特徴とする、請求項１に記載の発光ダイオードモジュール。
【請求項４】
前記基材は、シリコン、セラミックス、金属ワイヤーフレーム、ハイポリマー、又はこれらの混合物のうちの少なくとも一つにより作製されたものであることを特徴とする、請求項１に記載の発光ダイオードモジュール。
【請求項５】
前記第１発光ダイオードは、青色発光ダイオードであり、前記第１ビームが青色なビームであり、前記第２発光ダイオードは、赤色発光ダイオードであり、前記第２ビームが赤色なビームであることを特徴とする、請求項１に記載の発光ダイオードモジュール。
【請求項６】
前記第１発光ダイオードから投射される前記第１ビームは、その波長が４００〜５００ｎｍであり、８〜１６ルーメン（ｌｕｍｅｎ）で動植物を照明し、なお、前記第２発光ダイオードから投射される前記第２ビームは、その波長が６００〜７００ｎｍであり、８０〜１１２ルーメン（ｌｕｍｅｎ）で動植物を照明することを特徴とする、請求項４に記載の発光ダイオードモジュール。
【請求項７】
一つの青色発光ダイオードと、八つの赤色発光ダイオードと、を含むことを特徴とする、請求項４に記載の発光ダイオードモジュール。
【考案の詳細な説明】
【技術分野】
【０００１】
本考案は、発光ダイオードモジュールに関し、特に、一回の光線混合の方式により形成される光線で動植物を照射する発光ダイオードモジュールに関するものである。
【背景技術】
【０００２】
古来、光線の生物の生長に対する影響に関する資料が極めて少ない。現在、人類は、動植物の走光性と、日光の生物の生長に対する影響と、を分かったため、漁民が高効率の光源により魚を誘惑し、農民がランプの照射時間および照射周期などの条件を調整することにより、農作物などの植物の成長速度および態様を変化する。
【０００３】
最近の研究によると、動植物は、何れかの光線の照射に対して著しい反応があることではなく、特定の波長を有する光線だけに対して著しい反応がある。例えば、植物は、赤色および青色の光線に対して著しい反応がある。植物に赤色の光線を照射することにより、植物の茎および根などの形成が良くなり、花咲を促進する効果もある。植物に青色の光線を照射することにより、植物の栄養を取る器官の発育が良くなる。そして植物に照射する光線の赤色と青色の比例を調整することにより、植物の成長速度および態様を変化することができる。
【０００４】
また、医療および美容分野での光施療技術の使用が始めた。治療の目的によって、医者は患者に特定の顔色の光線を照射する。例えば赤色、青色、緑色および黄色の光線を患者に照射することにより、患者の皮膚が柔らかくなり、皮膚での怪我の癒合が加速され、なお、白色の光線を患者に照射することにより、季節性の鬱病を治療することができる。
【０００５】
図１を参照する。図１は従来の技術により相違する顔色の光線を動植物１に照射する状態を示す模式図である。光源モジュール２１と光源モジュール２２は、それぞれ照明ビームＬ２１と照明ビームＬ２２を射出して動植物１を照射する。
【０００６】
しかし、複数の光源モジュールにより動植物１を照射することは、下記の欠点があった。
（１）各光源モジュールに笠と放熱装置を設けることが必要であるため、必要なスペースが増加する。
【０００７】
（２）各光源モジュールが笠によってビームを集中するが、動植物１が小さい場合には、動植物１に照射される光線が均一ではなく、予定の照射効果を達成することができない。
【０００８】
（３）光線の照射を均一にするために、光源モジュールと動植物１の距離を増加すると、光源モジュールの照射の強度が光源モジュールと照射対象物の距離ｄ１の平方値と逆比例するため、光源モジュール２１、２２の発光効率を増加することが必要であるが、そうすると、光源モジュール２１、２２は、電力の消費が増加し、全体の体積が増大し、放熱効果が降下する。
【考案の概要】
【考案が解決しようとする課題】
【０００９】
本考案の主な目的は、複数の発光ダイオードを一つの熱伝導基板に整合し、光線を一回で直接に混合することにより、複数の種類の光源を同時に提供することができ、特定の比例と特定の波長で、複数の光線を動植物に照射することができる発光ダイオードモジュールを提供することにある。
【課題を解決するための手段】
【００１０】
本考案の発光ダイオードモジュールによると、熱伝導基板と、反射コップと、少なくとも一つの第１発光ダイオードと、少なくとも一つの第２発光ダイオードと、を含み、
前記熱伝導基板は、
基材と、
前記基材の下に設けられる複数の導電接合部と、
前記基材を貫通し、これらの前記導電接合部と電気的に連接する複数の電源柱と、
前記基材の下に設けられる放熱部と、を含み、
前記反射コップは、前記基材の上方に設けられ、
前記第１発光ダイオードは、前記熱伝導基板と前記反射コップとにより形成される空間に設けられ、これらの前記電源柱と電気的に連接し、第１ビームを射出し、
前記第２発光ダイオードは、前記熱伝導基板と前記反射コップとにより形成される空間に設けられ、これらの前記電源柱と電気的に連接し、第２ビームを射出することを特徴とする。
【００１１】
本考案の発光ダイオードモジュールによると、更に、透明グルーを含み、前記透明グルーは、前記熱伝導基板と前記反射コップとにより形成される空間に充填されることを特徴とする。
【００１２】
本考案の発光ダイオードモジュールによると、熱伝導グルーにより、前記反射コップが前記基材に粘着されることを特徴とする。
【００１３】
本考案の発光ダイオードモジュールによると、前記基材は、シリコン、セラミックス、金属ワイヤーフレーム、ハイポリマー、又はこれらの混合物のうちの少なくとも一つにより作製されたものであることを特徴とする。
【００１４】
本考案の発光ダイオードモジュールによると、前記第１発光ダイオードは、青色発光ダイオードであり、前記第１ビームが青色なビームであり、前記第２発光ダイオードは、赤色発光ダイオードであり、前記第２ビームが赤色なビームであることを特徴とする。
【００１５】
本考案の発光ダイオードモジュールによると、前記第１発光ダイオードから投射される前記第１ビームは、その波長が４００〜５００ｎｍであり、８〜１６ルーメン（ｌｕｍｅｎ）で動植物を照明し、なお、前記第２発光ダイオードから投射される前記第２ビームは、その波長が６００〜７００ｎｍであり、８０〜１１２ルーメン（ｌｕｍｅｎ）で動植物を照明することを特徴とする。
【００１６】
本考案の発光ダイオードモジュールによると、一つの青色発光ダイオードと、八つの赤色発光ダイオードと、を含むことを特徴とする。
【考案の効果】
【００１７】
本考案の発光ダイオードモジュールによれば、複数の発光ダイオードを一つの熱伝導基板に整合し、光線を一回で直接に混合することにより、複数の種類の光源を同時に提供することができ、特定の比例と特定の波長で、複数の光線を動植物に照射することができ、光源モジュールを小型化にすることができ、光線の照射が均一になるという効果を有する。
【図面の簡単な説明】
【００１８】
【図１】従来の技術により相違する顔色の光線を動植物に照射する状態を示す模式図である。
【図２】本考案の第１実施例の発光ダイオードモジュール構造を示す断面図である。
【図３】本考案の第１実施例の発光ダイオードモジュールの平面図である。
【図４】本考案の発光ダイオードモジュールの使用状態を示す模式図である。
【図５】本考案の発光ダイオードモジュールにより動植物を照射する状態を示す模式図である。
【図６】本考案の発光ダイオードモジュールを使用する光カーペットを示す模式図である。
【図７】光カーペットが食べ物の新鮮度保持、コンテナの運輸および品物の輸送に適用されることを示す模式図である。
【図８】本考案の発光ダイオードモジュールがバイン類の照射に適用されることを示す模式図である。
【図９】本考案の発光ダイオードモジュールが医療美容産業に適用されることを示す模式図である。
【考案を実施するための形態】
【００１９】
以下、本考案の実施の形態を図面に基づいて説明する。
まず、図２乃至図４を参照する。図２は本考案の第１実施例の発光ダイオードモジュール構造を示す断面図であり、図３は本考案の第１実施例の発光ダイオードモジュールの平面図であり、図４は本考案の発光ダイオードモジュールの使用状態を示す模式図である。本実施例の発光ダイオードモジュール３００は、少なくとも一つの動植物１を照射し、ここで、照射対象物は植物を例にして説明する。発光ダイオードモジュール３００は、熱伝導基板３１と、反射コップ３２と、少なくとも一つの第１発光ダイオード３３と、少なくとも一つの第２発光ダイオード３４と、を含む。
【００２０】
前記熱伝導基板３１は、基材３１１と、基材３１１の下方に設けられる複数の導電接合部３１２と、基材３１１を貫通し、これらの導電接合部３１２と電気的に連接する複数の電源柱３１３と、基材３１１の下方に設けられる放熱部３１４と、を含む。基材３１１は、シリコン、セラミックス、金属ワイヤーフレーム、ハイポリマー、又はこれらの混合物のうちの少なくとも一つにより作製されたものである。
【００２１】
反射コップ３２は、基材３１１の上方に設けられ、本実施例では、熱伝導グルー３２１により反射コップ３２が基材３１１に粘着され、そうすると、高温での耐用度を保持することができる。
【００２２】
第１発光ダイオード３３と第２発光ダイオード３４とは、熱伝導基板３１と反射コップ３２とにより形成される空間に設けられ、これらの電源柱３１３と電気的に連接し、光線を一回で直接に混合する方式により、第１ビームＬ１と第２ビームＬ２を動植物に照射する。
【００２３】
一方、発光ダイオードモジュール３００は、更に、透明グルー３５を含み、透明グルー３５は、熱伝導基板３１と反射コップ３２とにより形成される空間に充填され、必要によって凹レンズまたは凸レンズなどにすることができ、これにより、第１ビームＬ１と第２ビームＬ２との照射範囲を変更することができる。
【００２４】
発光ダイオードモジュール３００の構造は、第１発光ダイオード３３と第２発光ダイオード３４とが熱伝導基板３１と反射コップ３２とにより形成される空間に設けられ、電源柱３１３に複数本のリード３６が電気的に連接され、稼動時に発生される熱が放熱部３１４により外部に放熱する。
【００２５】
発光ダイオードモジュール３００の機能を説明するために、本実施例の発光ダイオードモジュール３００は、一つの第１発光ダイオード３３と、八つの第２発光ダイオード３４と、を含む。発光ダイオードモジュール３００から射出する照明ビームＬは、第１発光ダイオード３３からの第１ビームＬ１と、第２発光ダイオード３４からの第２ビームＬ２と、を含む。
【００２６】
更に、第１発光ダイオード３３と第２発光ダイオード３４との発光効率を調整することにより、相違する光線混合効果を得ることができる。
【００２７】
図５を参照する。図５は本考案の発光ダイオードモジュールにより動植物１を照射する状態を示す模式図である。本考案の発光ダイオードモジュール３００からの照明ビームＬが動植物１を照射する。動植物１が花である場合には、研究によると、植物は赤色および青色の光線に対して著しい反応があるため、本実施例では、第１発光ダイオード３３を青色発光ダイオードにし、第２発光ダイオード３４を赤色発光ダイオードにし、これにより、第１発光ダイオード３３が青色の第１ビームＬ１を射出し、第２発光ダイオード３４が赤色の第２ビームＬ２を射出する。第１ビームＬ１の波長は４００〜５００ｎｍであり、第２ビームＬ２の波長は６００〜７００ｎｍである。なお、第１ビームＬ１の波長は４５０〜４７０ｎｍであり、第２ビームＬ２の波長は６５０〜６７０ｎｍであることが好ましい。
【００２８】
また、第１ビームＬ１は８〜１６ルーメン（ｌｕｍｅｎ）で動植物１を照射し、第２ビームＬ２は８０〜１１２ルーメン（ｌｕｍｅｎ）で動植物１を照射する。本考案の発光ダイオードモジュール３００は、反射コップ３２と透明グルー３５との光線混合により、均一な照明ビームＬが形成されて動植物１を照射することができる。発光ダイオードモジュール３００は、相違するビームを発生する、第１発光ダイオード３３と、第２発光ダイオード３４と、を極めて小さい範囲に整合するため、発光ダイオードモジュール３００と動植物１の距離ｄ２が距離ｄ１よりも遥かに小さくても、光線が極めて均一であり、光線混合効果が非常に良い。
【００２９】
上記の説明から明らかなように、本考案の発光ダイオードモジュール３００によれば、少なくとも一つの第１発光ダイオード３３と、少なくとも一つの第２発光ダイオード３４と、を熱伝導基板３１に整合するため、第１ビームＬ１と第２ビームＬ２とを特定の比例と特定の照度とで動植物１に照射することができ、光源モジュールを小型化にすることができ、光線の照射が均一になるという効果を有する。
【００３０】
本考案の発光ダイオードモジュールを更に詳細に説明するために、複数の実施の態様を例にして説明する。図６及び図７を参照する。図６は本考案の発光ダイオードモジュールを使用する光カーペットを示す模式図であり、図７は光カーペットが食べ物の新鮮度保持、コンテナの運輸および品物の輸送に適用されることを示す模式図である。発光ダイオードモジュール３００が光カーペット４００に設けられ、ボックス５００の内部に動植物１を置く場合には、発光ダイオードモジュール３００が動植物１に向くように、ボックス５００の壁に光カーペット４００を固定することにより、狭い照明範囲において、動植物１に光線を均一に照射することができ、且つ光カーペット４００の取付および取外しが極めて容易である。一方、発光ダイオードモジュール３００を蛍光灯の形式にすることもでき、発光ダイオードモジュール３００を蛍光灯の形式にしても、上記の分野に容易に適用することができる。
【００３１】
図８を参照する。図８は本考案の発光ダイオードモジュールがバイン類の照射に適用されることを示す模式図である。バイン類の植物１´が柱のようなものをよじ登り、従来の技術によって照射すると、照明の死角が多く存在し、照射効果が良くない。本考案では、発光ダイオードモジュール３００がチューブに設けられ、そうすると、発光ダイオードモジュール３００が設けられたチューブをよじ登るバイン類の植物１´は、発光ダイオードモジュール３００に良く照射される。
【００３２】
図９を参照する。図９は本考案の発光ダイオードモジュールが医療美容産業に適用されることを示す模式図である。従来の技術により、短距離のうちに光線をよく混合することができないため、医療美容産業に適用される場合には、一種類だけの光線を照射可能である。しかし、本考案では、第１発光ダイオード３３と第２発光ダイオード３４とが発光ダイオードモジュール３００に整合されるため、照射対象部位と光源の距離が近くても、複数の相違する波長を有する光線を照射対象部位に同時に照射することができる。図９に示したのは、発光ダイオードモジュール３００が設けられる光施療マスク７００である。本考案の発光ダイオードモジュール３００によれば、四肢、背部およびヘッドなどの部位を均一に照射することができ、予定の治療効果を得ることができる。
【００３３】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３４】
本考案は、発光ダイオードモジュールに適用することができる。
【符号の説明】
【００３５】
１ 動植物
２１ 光源モジュール
２２ 光源モジュール
３１ 熱伝導基板
３２ 反射コップ
３３ 第１発光ダイオード
３４ 第２発光ダイオード
３５ 透明グルー
３６ リード
３００ 発光ダイオードモジュール
３１１ 基材
３１２ 導電接合部
３１３ 電源柱
３１４ 放熱部
３２１ 熱伝導グルー
４００ 光カーペット
５００ ボックス
７００ 光施療マスク
Ｌ 照明ビーム
Ｌ１ 第１ビーム
Ｌ２ 第２ビーム
Ｌ２１ 照明ビーム
Ｌ２２ 照明ビーム
【図１】
0003162045.tif 000003
【図２】
0003162045.tif 000004
【図３】
0003162045.tif 000005
【図４】
0003162045.tif 000006
【図５】
0003162045.tif 000007
【図６】
0003162045.tif 000008
【図７】
0003162045.tif 000009
【図８】
0003162045.tif 000010
【図９】
0003162045.tif 000011